(57)【特許請求の範囲】
【請求項１】
無線通信エリア内に位置する乗車券との無線通信により読み取った、この乗車券が記憶する乗車券情報に応じて、鉄道の利用毎に運賃が発生する通常券利用にかかる改札処理、または、鉄道の利用回数に関係なく運賃が一定である企画券利用にかかる改札処理を選択的に行う自動改札機を管理する管理サーバであって、
乗車券に対して発券した、利用可能日数が複数日であり、且つ有効期間が利用可能日数よりも長い企画券であって、利用可能日数の範囲内で有効期間内の任意の日に利用できる企画券の発券情報を記憶する発券情報記憶部と、
前記発券情報記憶部が前記発券情報を記憶しているいずれかの企画券について、利用日の指定を受け付ける利用日指定受付部と、
前記利用日指定受付部が利用日の指定を受け付けた企画券で入出場できる駅毎に、その駅に設置されている前記自動改札機に対して当該企画券を発券した乗車券の識別番号を通知する識別番号通知部と、を備え、
前記発券情報記憶部は、利用可能日数分の利用日が指定された企画券の発券情報を記憶しない、管理サーバ。
【請求項２】
前記発券情報記憶部は、発券した企画券について、その企画券の種類、企画券を発券した乗車券の識別番号、企画券の有効期間の終了日、および企画券が利用できる残日数を含む前記発券情報を記憶する、請求項１に記載の管理サーバ。
【請求項３】
発券した企画券毎に、前記発券情報記憶部が記憶している前記発券情報について、残日数が０である発券情報を削除する第１の発券情報削除部を備えた、請求項２に記載の管理サーバ。
【請求項４】
発券した企画券毎に、前記発券情報記憶部が記憶している前記発券情報について、有効期間の終了日が過ぎた発券情報を削除する第２の発券情報削除部を備えた、請求項２、または３に記載の管理サーバ。
【請求項５】
乗車券が記憶する乗車券情報に応じて、鉄道の利用毎に運賃が発生する通常券利用にかかる改札処理、または、鉄道の利用回数に関係なく運賃が一定である企画券利用にかかる改札処理を選択的に行う自動改札機、および、
前記自動改札機に対して、前記企画券利用にかかる改札処理が行える乗車券の識別番号を通知する上位装置、を有する駅務システムであって、
前記上位装置は、
乗車券に対して発券した、利用可能日数が複数日であり、且つ有効期間が利用可能日数よりも長い企画券であって、利用可能日数の範囲内で有効期間内の任意の日に利用できる企画券の発券情報を記憶する発券情報記憶部と、
前記発券情報記憶部が前記発券情報を記憶しているいずれかの企画券について、利用日の指定を受け付ける利用日指定受付部と、
前記利用日指定受付部が利用日の指定を受け付けた企画券で入出場できる駅毎に、その駅に設置されている前記自動改札機に対して当該企画券を発券した乗車券の識別番号を通知する識別番号通知部と、を備え、
前記発券情報記憶部は、利用可能日数分の利用日が指定された企画券の発券情報を記憶しない、
駅務システム。
【発明の詳細な説明】
【技術分野】
【０００１】
この発明は、駅の改札口に設置し、乗車券（非接触ＩＣ券）に記録されている乗車券情報を用いて、この乗車券を所有する利用者に対して改札処理を行う自動改札機を管理する管理サーバ、および駅務システムに関する。
【背景技術】
【０００２】
従来、鉄道の駅では、駅構内に入場する利用者や、駅構内から出場する利用者に対する改札処理を自動改札機で行っている。自動改札機は、周知のように、改札通路を通って駅構内に入場する利用者や、駅構内から出場する利用者が所持している乗車券に記録されている乗車券情報を読み取る。自動改札機は、読み取った乗車券情報を用いて、改札通路における利用者の通行（駅構内への入場や駅構内からの出場）を許可するかどうかを判定する。自動改札機は、改札通路における利用者の通行を許可する場合、その利用者にとって出口側に設けられた扉を開し、反対に許可しない場合、この扉を閉する。
【０００３】
乗車券は、媒体の種類で分類すると、磁気券、非接触ＩＣ券、２次元バーコード券（以下、ＱＲ券と言う。）等がある。磁気券は、乗車券情報を磁気データで記録している。非接触ＩＣ券は、近距離の無線通信機能を有し、乗車券情報を電子データでメモリに記憶している。ＱＲ券は、乗車券情報を券面に２次元バーコード（例えば、ＱＲコード）で印刷している。また、非接触ＩＣ券は、磁気券を廃止するために、磁気券に代わる乗車券としての利用をすすめている。ＱＲ券は、キップとしての利用を前提にしている。
【０００４】
このＱＲ券は、コピーすることで、簡単に偽造できるという欠点がある。そこで、このＱＲ券の偽造に対するセキュリティを向上させる提案が特許文献１等で示されている。具体的には、券売機が、発行したキップの発行番号を含む発行情報を上位装置に通知する。この発行番号は、発行した券の券面に２次元バーコードで印刷されている乗車券情報に含まれている。上位装置は、券売機が発行したキップ毎に、そのキップが使用される可能性の高い駅の自動改札機に対して発行情報を通知する。各自動改札機は、上位装置から通知された発行情報を記憶する。また、各自動改札機は、２次元バーコードで印刷されている乗車券情報を読み取ると、読み取った乗車券情報と、記憶している発行情報と、を照合し、適正なキップであるかどうかを判定する。また、各自動改札機は、通行を許可したキップについて乗車券情報を上位装置に通知し、上位装置が各自動改札機に対して、この乗車券情報を、これ以降入場を拒否するネガ情報として他の自動改札機に通知する。各自動改札機は、読み取った乗車券情報と、記憶している発行情報と、を照合するときに、ネガ情報が登録されているキップについては通行を拒否する。
【０００５】
なお、自動改札機は、改札処理の際に、ＱＲ券に対して入出場情報を書き込むことができない（２次元バーコードで記録されている乗車券情報を読み取るだけである。）。
【先行技術文献】
【特許文献】
【０００６】
【特許文献１】特開２００６−  ５９２４９号公報
【発明の概要】
【発明が解決しようとする課題】
【０００７】
しかしながら、乗車券には、鉄道の利用回数に関係なく運賃が一定である企画券（所謂、フリーパス）がある。企画券は、予め定められている有効区間内に位置する駅であれば何度でも入出場できる。特許文献１は、上述したＱＲ券の偽造に対するセキュリティを確保するためにネガ情報を通知する構成であるので、駅における利用者の入場が１回に限定される。したがって、特許文献１の構成では、企画券をＱＲ券で発券することができない。
【０００８】
また、自動改札機は、磁気券を処理する場合、投入された磁気券を搬送する構成を備えなければならず、自動改札機本体の小型化やコストダウンを妨げる。このことから、最近では、上述の磁気券の廃止が検討されている。これにともない、上述したＱＲ券だけでなく、非接触ＩＣ券でキップを発券することがすでに検討されている。
【０００９】
これらの理由から、非接触ＩＣ券が企画券としても利用できる駅務システムが望まれている。非接触ＩＣ券は、料金先払いのプリペイド方式や、料金後払いのポストペイ方式等により、キップを購入することなく、任意の駅間において鉄道が利用できる。一般に、この非接触ＩＣ券の利用形態は、ＳＦ（Stored Fare）券利用と呼ばれている。非接触ＩＣ券は、任意の２駅間の乗車券（キップ）として繰り返し利用できるので、利用者は非接触ＩＣ券を１枚所有しておけばよい。
【００１０】
非接触ＩＣ券を上述のＳＦ券利用だけでなく、企画券利用も行えるようにするには、自動改札機が、改札処理時に、非接触ＩＣ券をＳＦ券利用で改札処理を行うか、企画券利用で改札処理を行うか、を迅速に判定しなければならない。すなわち、この判定にかかる時間が長くなると、その分だけ改札処理にかかる時間が増大し、その結果、改札効率を低下させてしまう。また、改札処理時における、非接触ＩＣ券に対する入出場情報等の読み取りや、書き込みに要する時間の増加も抑える必要がある。
【００１１】
一方で、上述の企画券には、利用可能日数が１日のものもあれば、複数日のものもある。また、有効期間内であれば利用日を、連続、不連続にかかわらず、利用可能日数の範囲内で１日ずつ任意に指定できるものもある。したがって、企画券は、乗車券情報の総量が大きい。企画券にかかる乗車券情報を全て非接触ＩＣ券に記憶させると、自動改札機が改札処理時に、非接触ＩＣ券からの乗車券情報の読み取りにかかる通信時間が増大するばかりでなく、改札処理も複雑になるので、改札効率を大幅に低下させてしまう。
【００１２】
この発明の目的は、自動改札機において、非接触ＩＣ券の利用が、鉄道の利用毎に運賃が発生する通常券利用であるか、鉄道の利用回数に関係なく運賃が一定である企画券利用であるかを迅速に判定でき、改札効率の低下を十分に抑えることができる管理サーバ、および駅務システムを提供することにある。
【課題を解決するための手段】
【００１３】
この発明の管理サーバは、上記課題を解決し、その目的を達するために以下のように構成している。
【００１４】
この発明にかかる管理サーバは、無線通信エリア内に位置する乗車券との無線通信により読み取った、この乗車券が記憶する乗車券情報に応じて、鉄道の利用毎に運賃が発生する通常券利用にかかる改札処理、または、鉄道の利用回数に関係なく運賃が一定である企画券利用にかかる改札処理を選択的に行う自動改札機を管理する。
【００１５】
管理サーバは、発券情報記憶部が乗車券に対して発券した、利用可能日数が複数日であり、且つ有効期間が利用可能日数よりも長い企画券であって、利用可能日数の範囲内で有効期間内の任意の日に利用できる企画券の発券情報を記憶する。企画券の有効期間は、例えば、販売日から１カ月や、販売日の翌月の末日等、企画券の種類によって予め設定されている。また、企画券には、利用可能日数が定められている。この利用可能日数は、複数日である。さらに、有効期間内であれば、利用者が連続、不連続にかかわらず、最大で利用可能日数だけ企画券が利用できるものである。通常、有効期間が、利用可能日数よりも長い期間の企画券は、利用者が利用日を指定できる。
【００１６】
利用日指定受付部は、発券情報記憶部が発券情報を記憶している、いずれかの企画券について、利用日の指定を受け付ける。識別番号通知部は、利用日指定受付部が利用日の指定を受け付けた企画券で入出場できる駅毎に、その駅に設置されている自動改札機に対して当該企画券を発券した乗車券の識別番号を通知する。
さらに、発券情報記憶部は、利用可能日数分の利用日が指定された企画券の発券情報を記憶しない。
【００１７】
したがって、自動改札機は、改札処理を行う利用者が所有する乗車券の識別番号が管理サーバから通知されているかどうかにより、通常券利用であるか、企画券利用であるかの判定が行える。すなわち、自動改札機において、非接触ＩＣ券の利用が、鉄道の利用毎に運賃が発生する通常券利用であるか、鉄道の利用回数に関係なく運賃が一定である企画券利用であるかを迅速に判定でき、改札効率の低下を十分に抑えることができる。
【００１８】
また、発券情報記憶部は、発券した企画券について、その企画券の種類、企画券を発券した乗車券の識別番号、企画券の有効期間の終了日、および企画券が利用できる残日数を含む前記発券情報を記憶すればよい。
【００１９】
また、発券した企画券毎に、発券情報記憶部が記憶している発券情報について、残日数が０である発券情報や、有効期間の終了日が過ぎた発券情報については、削除する構成としてもよい。
【発明の効果】
【００２０】
この発明によれば、乗車券である非接触ＩＣ券の利用が、鉄道の利用毎に運賃が発生する通常券利用であるか、鉄道の利用回数に関係なく運賃が一定である企画券利用であるかを迅速に判定し、改札効率の低下を十分に抑えることができる。
【図面の簡単な説明】
【００２１】
【図１】駅務システムの構成を示す概略図である。
【図２】自動改札機の主要部の構成を示すブロック図である。
【図３】非接触ＩＣ券が記憶する乗車券情報を示す図である。
【図４】駅サーバが記憶している情報を説明する図である。
【図５】センタサーバの主要部の構成を示すブロック図である。
【図６】センタサーバが記憶している発券情報を説明する図である。
【図７】券売機が企画券を発券する処理を示すフローチャートである。
【図８】センタサーバの動作を示すフローチャートである。
【図９】駅サーバの動作を示すフローチャートである。
【図１０】自動改札機における改札処理を示すフローチャートである。
【図１１】購入済の企画券について、利用者が利用日の指定にかかる操作を行う券売機の処理を示すフローチャートである。
【図１２】センタサーバの動作を示すフローチャートである。
【発明を実施するための形態】
【００２２】
以下、この発明の実施形態について説明する。
【００２３】
図１は、この発明の実施形態にかかる駅務システムの構成を示す概略図である。鉄道網に設けられた各駅には、自動改札機１、券売機２、精算機（不図示）等の駅務機器、および駅サーバ３が設置されている。また、センタにはセンタサーバ５が設置されている。図１では、２つの駅（駅Ｘ，駅Ｙ）を例示している。
【００２４】
駅毎に、その駅に設置している自動改札機１、券売機２等の駅務機器や、駅サーバ３をＬＡＮ等のネットワークで接続している。自動改札機１や券売機２等の駅務機器は、各駅に１台以上設置している。また、各駅の駅サーバ３は、専用回線や公衆回線等のネットワーク６を介してセンタサーバ５に接続している。各駅の駅サーバ３は、ネットワーク６を介してセンタサーバ５と通信できる。
【００２５】
自動改札機１は、周知のように駅の改札口に設置し、駅構内に入場する利用者や、駅構内から出場する利用者に対して改札処理を行う。自動改札機１は、利用者に対して改札処理を行う毎に、その改札処理にかかる情報（以下、改札情報と言う。）を自駅の駅サーバ３に通知する。
【００２６】
券売機２は、改札口周辺に設置し、駅構内に入場する利用者に対して、キップや企画券等の乗車券を販売する。ここで言う企画券とは、所謂フリーパスである。企画券には、有効区間が定められている。利用者は、有効区間内に位置する駅で何度でも入出場でき、また鉄道の利用料金が一定（企画券の販売価格）である。この、有効区間が、鉄道網において連続する１つの区間の企画券もあれば、不連続の複数の区間の企画券もある。券売機２は、キップや企画券等の乗車券を発券する毎に、乗車券の発券にかかる情報（以下、発券情報と言う。）を自駅の駅サーバ３に通知する。
【００２７】
ここで、企画券について簡単に説明しておく。企画券には、有効期間が設定されている。この有効期間は、例えば、販売日から１カ月や、販売日の翌月の末日等、企画券の種類によって予め設定されている。また、有効期間が販売日当日（１日）である企画券もある。
【００２８】
また、企画券には、利用可能日数が定められているものもある。この利用可能日数が１日である企画券もあれば、複数日である企画券もある。利用者は、有効期間内であれば、連続、不連続にかかわらず、最大で利用可能日数だけ企画券を利用することができる。有効期間が、利用可能日数よりも長い期間の企画券は、利用者が利用日を指定できる。一方、有効期間と、利用可能日数とが同じ日数の企画券は、有効期間が利用日になる。
【００２９】
なお、利用者は、有効期間内であっても、その企画券を利用可能日数使用すると、これ以降使用できない。
【００３０】
駅サーバ３は、自動改札機１や券売機２等の駅務機器から通知された情報（改札情報や発券情報）を、適当なタイミングでセンタサーバ５に通知する。また、駅サーバ３は、センタサーバ５から通知された情報（後述する、企画券利用許可情報等）を、必要に応じて自駅に設置されている自動改札機１や券売機２等の駅務機器に通知する。
【００３１】
図２は、この発明の実施形態にかかる自動改札機の主要部の構成を示すブロック図である。自動改札機１は、制御部１１と、乗車券処理部１２と、識別番号記憶部１３と、利用者検知部１４と、扉開閉部１５と、出力部１６と、通信部１７と、を備えている。
【００３２】
制御部１１は、自動改札機１本体の動作を制御する。
【００３３】
乗車券処理部１２は、乗車券である非接触ＩＣ券と近距離無線通信を行う無線通信部である。乗車券処理部１２の無線通信エリアは、利用者にとっての改札通路の入口側に位置する。改札通路に進入する利用者が、所有している非接触ＩＣ券を乗車券処理部１２の無線通信エリア内に翳す。非接触ＩＣ券は、公知のように、近距離の無線通信機能を有し、乗車券情報を電子データでメモリに記憶した乗車券である。
【００３４】
この非接触ＩＣ券が記憶する乗車券情報を図３に示す。乗車券情報には、この非接触ＩＣ券を識別する識別番号ＩＤｉ、この非接触ＩＣ券に対して発券された企画券の利用日を示す期間情報、および、この非接触ＩＣ券を利用した改札処理の履歴である入出場履歴情報等が含まれている。
【００３５】
期間情報は、発券された企画券の利用日の開始日と、利用日の終了日とで構成される。利用日が１日であれば、利用日の開始日と、利用日の終了日とは同日である。利用者が企画券の購入にかかる操作を行った機器や、すでに購入している企画券について利用日を指定する操作を行った機器（ここでは、券売機２を例にする。）が、この期間情報を非接触ＩＣ券に書き込む。入出場履歴情報は、利用日時、利用駅、利用区分（入場、または出場）、その時点の残高（プリペイド方式の場合）等を含む入出場情報を蓄積したものである。自動改札機１は、改札通路の通行を許可したときに、今回の通行にかかる入出場情報を非接触ＩＣ券に書き込む。
【００３６】
識別番号記憶部１３は、企画券としての利用（企画券利用）で改札通路の通行を許可する非接触ＩＣ券毎に、その非接触ＩＣ券を識別する識別番号ＩＤｉを記憶する。この識別番号記憶部１３に記憶する非接触ＩＣ券の識別番号ＩＤｉは、センタサーバ５から駅サーバ３を介して通知される。詳細については、後述する。
【００３７】
利用者検知部１４は、改札通路に沿って配置した複数のセンサにより、改札通路内における利用者の位置を検出する処理を一定時間間隔で繰り返し、改札通路内における利用者の移動を追跡する。
【００３８】
扉開閉部１５は、改札通路に進入した利用者に対する改札通路の通行可否の判定結果に応じて、この利用者にとっての改札通路の出口側に位置する扉を開閉する。
【００３９】
出力部１６は、改札通路に進入した利用者に対して改札通路の通行を許可しないとする判定をしたときに、警告音による報知を行う。また、出力部１６は、改札通路に進入した利用者にとっての改札通路の出口側に位置する表示器（不図示）の画面表示の制御も行う。
【００４０】
通信部１７は、自駅の券売機２や、駅サーバ３との間におけるデータ通信を制御する。
【００４１】
また、駅サーバ３は、図４に示す企画券利用許可情報を記憶する。この企画券利用許可情報は、日付毎に、自駅において、企画券利用で改札通路の通行を許可する非接触ＩＣ券の識別番号ＩＤｉを登録したものである。この企画券利用許可情報は、後述するように、企画券を購入した利用者が所有する非接触ＩＣ券の識別番号ＩＤｉを記憶するための構成である。駅サーバ３は、毎日、始発の発車前に、記憶している企画券利用許可情報における、当日分の非接触ＩＣ券の識別番号ＩＤｉを自駅の各自動改札機１に通知する。また、自動改札機１は、識別番号記憶部１３に記憶している非接触ＩＣ券の識別番号ＩＤｉ（前日分）を全て消去し、今回駅サーバ３から通知された非接触ＩＣ券の識別番号ＩＤｉ（当日分）を識別番号記憶部１３に記憶する。
【００４２】
なお、この図４に示す企画券利用許可情報は、各駅の駅サーバ３ではなく、センタサーバ５で駅毎に分けて記憶しておき、毎日、センタサーバ５が、始発が発車する前に、各駅の駅サーバ３を介して自動改札機１に通知する構成としてもよい。
【００４３】
図５は、センタサーバの主要部の構成を示すブロック図である。センタサーバ５は、制御部５１と、発券情報記憶部５２と、通信部５３と、を備えている。制御部５１は、センタサーバ５本体の動作を制御する。発券情報記憶部５２は、発券した企画券の発券情報を記憶する。
【００４４】
図６は、発券情報を示す図である。この発券情報は、企画券を発券した非接触ＩＣ券の識別番号ＩＤｉ、企画券の種類、企画券の有効期間（開始日、および終了日）、企画券が利用できる残日数（利用可能日数）を対応づけたものである。残日数は、その時点で企画券を利用することができる利用可能日数である。この発券情報は、企画券を発券した装置（例えば、券売機２）から通知される。また、センタサーバ５は、通知された企画券の発券情報であっても、その時点で全ての利用日が確定される企画券の発券情報については、発券情報記憶部５２に記憶しない。具体的にいうと、有効期間が利用可能日数よりも長い期間の企画券であって、その時点で利用者が指定している利用日の日数が利用可能日数に達していない企画券について、その発券情報を発券情報記憶部５２に記憶する。有効期間が利用可能日数よりも長い期間の企画券であっても、その時点で利用者が指定している利用日の日数が利用可能日数に達している企画券については、その発券情報を発券情報記憶部５２に記憶しない。また、有効期間と、利用可能日数とが同じである企画券についても、その発券情報を発券情報記憶部５２に記憶しない。
【００４５】
また、センタサーバ５は、企画券の種類毎に、その企画券の利用で、入出場できる駅を抽出するのに用いる乗降可能駅情報（不図示）等を記憶している。この乗降可能駅情報は、企画券の種類と、その企画券で入出場できる駅とを対応付けた情報である。
【００４６】
通信部５３は、ネットワーク６を介した、各駅の駅サーバ３との間における通信を制御する。
【００４７】
次に、利用者が企画券を購入する処理について説明する。利用者が企画券を購入できる機器は、非接触ＩＣ券に対して、発券した企画券の発券情報をセンタサーバ５に通知できる機器であればよい。ここでは、券売機２で企画券を発券する場合を例にして説明するが、利用者が自宅のパソコン等を操作して、インタネット上の鉄道会社（企画券を販売している会社）のサーバにアクセスして購入することもできる。企画券の購入は、非接触ＩＣ券に対して乗車券情報を書き込む機能を有していない機器であってもよい。
【００４８】
図７は、券売機が企画券を発券する処理を示すフローチャートである。企画券を購入する利用者は、所有する非接触ＩＣ券を券売機２に投入し、購入する企画券の種類等を指定する入力操作を行う。
【００４９】
券売機２は、利用者が投入した非接触ＩＣ券を受け付けるとともに、購入する企画券の種類等にかかる入力操作を受け付ける（ｓ１）。券売機２は、受け付けた非接触ＩＣ券と無線通信を行い、この非接触ＩＣ券から識別番号ＩＤｉ等の乗車券情報を読み取ったり、乗車券情報を書き込んだりすることができる。券売機２は、企画券の発券にかかる料金（企画券の販売金額）の精算が、今回投入された非接触ＩＣ券で行えるかどうかを判定する（ｓ２）。券売機２は、ｓ２において、残高不足等で精算できないと判定すると、利用者に対して現金での精算を要求する（ｓ３）。
【００５０】
現金での精算が要求された利用者は、券売機２に貨幣を投入する。
【００５１】
券売機２は、ｓ２において精算できると判定した場合、または、ｓ４で精算金額以上の貨幣が投入されると、利用者が今回指定した企画券の発券にかかる料金の精算を行う（ｓ５）。券売機２は、今回投入された非接触ＩＣ券を放出し（ｓ６）、利用者に返却する。
【００５２】
さらに、券売機２は、今回発券した企画券の発券情報を自駅の駅サーバ３を介してセンタサーバ５に通知し（ｓ７）、ｓ１に戻る。ｓ７でセンタサーバ５に通知する企画券の発券情報には、企画券の発券に使用された非接触ＩＣ券の識別番号ＩＤｉ、発券した企画券の種類等が含まれている。
【００５３】
なお、利用者が、非接触ＩＣ券に対して乗車券情報を読み取ったり、書き込んだりする機能を有していない機器、例えば自宅のパソコン等を操作して、インタネット上の鉄道会社のサーバにアクセスして企画券を購入するときは、利用者が所有している非接触ＩＣ券の識別番号ＩＤｉを、キーボードを操作して入力すればよい。また、企画券の発券にかかる料金の精算は、クレジット決済等で行えばよい。
【００５４】
また、券売機２等、非接触ＩＣ券に対して乗車券情報を書き込むことができる機器で企画券を購入する場合には、その企画券について購入時に利用日が指定できるようにしてもよい。この場合、券売機２は、指定された利用日を期間情報として非接触ＩＣ券に書き込む。また、利用日が決まっている企画券であれば、その利用日を期間情報として非接触ＩＣ券に書き込めばよい。
【００５５】
なお、利用者は、利用日が任意に指定できる企画券であれば、その企画券を購入した後に、非接触ＩＣ券に対して乗車券情報を書き込むことができる機器（例えば、券売機２）で利用日の指定が行える。利用者は、利用日（期間情報が示す期間）を指定することで、非接触ＩＣ券を企画券として利用できる。
【００５６】
次に、企画券の発券情報が通知されたセンタサーバ５の動作について説明する。図８は、センタサーバの動作を示すフローチャートである。センタサーバ５は、企画券の発券情報を受信すると（ｓ１１）、今回発券した企画券について全ての利用日が確定できるかどうかを判定する（ｓ１２）。ｓ１２では、利用日が決まっている企画券であれば、全ての利用日が確定できる企画券であると判定する。また、利用者が利用日を任意に指定できる企画券であっても、発券時に利用者が利用可能日数分の利用日を指定していれば、全ての利用日が確定できる企画券であると判定する。すなわち、利用者が利用日を任意に指定できる企画券であって、発券時に利用者が利用可能日数分の利用日を指定していない場合（利用可能日数未満の利用日が指定されている場合を含む）に、全ての利用日が確定できない企画券であると判定する。
【００５７】
センタサーバ５は、ｓ１２で全ての利用日が確定できない企画券であると判定すると、発券情報記憶部５２に今回受信した発券情報を記憶する（ｓ１３）。センタサーバ５は、発券情報を記憶した企画券について、現時点で指定されている利用日の有無を判定し（ｓ１４）、指定されている利用日があれば、この企画券で入出場を許可する駅を全て抽出する（ｓ１５）。センタサーバ５は、企画券の発券情報に含まれている企画券の種類に基づき、今回発券された企画券で入出場を許可する駅を抽出する。
【００５８】
センタサーバ５は、ｓ１５で抽出した駅毎に、その駅に設置されている駅サーバ３に対して、企画券を発券した非接触ＩＣ券の識別番号ＩＤｉと、利用日とを対応付けた利用日通知情報を送信する（ｓ１６）。ｓ１６では、利用日が複数日指定されていれば、指定されている各利用日が利用日通知情報に含まれる。
【００５９】
また、センタサーバ５は、今回利用日通知情報を通知した利用日の日数を、ｓ１３で発券情報記憶部５２に記憶した発券情報の残日数から減算する（ｓ１７）。ｓ１７は、この企画券が利用できる残日数（利用可能日数）を更新する処理である。
【００６０】
また、センタサーバ５は、ｓ１２で、全ての利用日が確定できると判定すると、この企画券で入出場を許可する駅を全て抽出する（ｓ１８）。ｓ１８は、上述したｓ１５と同じ処理である。センタサーバ５は、ｓ１８で抽出した駅毎に、その駅に設置されている駅サーバ３に対して、企画券を発券した非接触ＩＣ券の識別番号ＩＤｉと、各利用日とを対応付けた利用日通知情報を送信する（ｓ１９）。このｓ１９は、上述したｓ１６と同じ処理である。
【００６１】
次に、センタサーバ５から、利用日通知情報が送信されてきた駅サーバ３の動作について説明する。図９は、駅サーバの動作を示すフローチャートである。駅サーバ３は、センタサーバ５から送信されてきた利用日通知情報を受信すると（ｓ２１）、受信した利用日通知情報に含まれている非接触ＩＣ券の識別番号ＩＤｉを、記憶している企画券利用許可情報（図４参照）の該当する日（利用日）に追加記憶する（ｓ２２）。
【００６２】
また、駅サーバ３は、今回受信した利用日通知情報が示す企画券の利用日に、今日が含まれていれば、自駅の各自動改札機１に対して、この非接触ＩＣ券の識別番号ＩＤｉを通知し、識別番号記憶部１３に追加記憶させ（ｓ２３、ｓ２４）、ｓ２１に戻る。
【００６３】
このｓ２３、ｓ２４にかかる処理を行うことで、企画券を利用する当日に購入した利用者であっても、その利用者が所有する非接触ＩＣ券の識別番号ＩＤｉを、購入した企画券で入出場が許可される各駅の自動改札機１の識別番号記憶部１３に記憶させることができる。
【００６４】
次に、自動改札機１における改札処理について説明する。図１０は、自動改札機における改札処理を示すフローチャートである。自動改札機１は、乗車券処理部１２が無線通信エリア内に翳された非接触ＩＣ券から乗車券情報を読み取る（ｓ３１）。ｓ３１では、非接触ＩＣ券の識別番号ＩＤｉ、期間情報、前回の入出場情報を乗車券情報をとして読み取る。企画券の利用日を示す期間情報は、非接触ＩＣ券が期間情報を記憶していなければ、ｓ３１で読み取った乗車券情報に含まれない。
【００６５】
自動改札機１は、ｓ３１で読み取った乗車券情報に、企画券の利用日を示す期間情報が含まれているかどうかを判定する（ｓ３２）。自動改札機１は、ｓ３２で読み取った乗車券情報に期間情報が含まれていなければ、今回の非接触ＩＣ券の利用をＳＦ券利用（この発明で言う、通常券利用）と判定し、ＳＦ券利用にかかる改札処理を行う（ｓ３３）。
【００６６】
ｓ３３では、公知の自動改札機と同様に、ｓ３１で読み取った乗車券情報に含まれている前回の入出場情報に基づきサイクルエラーであるかどうかを判定する。自動改札機１は、今回の改札処理が、駅への入場が連続したり、駅からの出場が連続したりする処理であれば、サイクルエラーであると判定する。また、自動改札機１は、サイクルエラーでないと判定すると、運賃の精算可否を判定する。この判定は、通常、利用者が駅から出場する出場時に行い、駅に入場する入場時には行わない。自動改札機１は、サイクルエラー、または運賃の精算不可と判定すると、改札通路における利用者の通行を許可しない。具体的には、扉開閉部１５が利用者の出口側に位置する扉を閉し、出力部１６が改札通路の通行を許可しない旨を利用者に認識させる警告報知を行う。
【００６７】
自動改札機１は、サイクルエラーでなく、運賃の精算可と判定すると、改札通路における利用者の通行を許可する。具体的には、今回の改札処理にかかる入場情報、または出場情報を非接触ＩＣ券に書き込むとともに、扉開閉部１５が利用者の出口側に位置する扉を開する。
【００６８】
また、自動改札機１は、ｓ３２で読み取った乗車券情報に企画券の利用日を示す期間情報が含まれていれば、今日が、利用日であるかどうかを判定する（ｓ３４）。自動改札機１は、ｓ３４で今日が利用日でないと判定すると、期間情報が示す利用日がすでに過ぎているかどうかを判定する（ｓ３５）。自動改札機１は、期間情報が示す利用日がまだ過ぎていなければ、上述したｓ３３でＳＦ券利用にかかる改札処理を行う。
【００６９】
また、自動改札機１は、期間情報が示す利用日がすでに過ぎていれば、ｓ３６でＳＦ券利用にかかる改札処理を行う。ｓ３６では、ｓ３３で説明した改札処理を行うとともに、通行不可と判定した場合に、非接触ＩＣ券に対して利用日がすでに過ぎている期間情報を消去する書き込みを行う。また、通行可と判定した場合にも、非接触ＩＣ券に対して利用日がすでに過ぎている期間情報を消去する書き込みを、入出場情報の書き込みとともに行う。
【００７０】
自動改札機１がｓ３５、およびｓ３６にかかる処理を行うことで、非接触ＩＣ券が利用日が過ぎた企画券の期間情報をいつまでも記憶しつづけることがない。
【００７１】
自動改札機１は、ｓ３４で今日が利用日であると判定すると、識別番号記憶部１３に記憶している識別番号ＩＤｉの中に、ｓ３１で読み取った乗車券情報に含まれている非接触ＩＣ券の識別番号ＩＤｉがあるかどうかを判定する（ｓ３７）。自動改札機１は、上述した処理が適正に行われていれば、企画券で入出場を許可する全ての非接触ＩＣ券の識別番号ＩＤｉを識別番号記憶部１３に記憶している。しかし、ネットワーク６で生じた通信障害等、様々な原因による処理不良によって、識別番号ＩＤｉが購入した企画券で入出場を許可する駅の自動改札機１に通知されていないことも考えられる。すなわち、自動改札機１が、企画券で入出場を許可する全ての非接触ＩＣ券の識別番号ＩＤｉを識別番号記憶部１３に記憶していない場合が考えられる。
【００７２】
自動改札機１は、ｓ３７で、識別番号記憶部１３に記憶している識別番号ＩＤｉの中に、ｓ３１で読み取った乗車券情報に含まれている非接触ＩＣ券の識別番号ＩＤｉがないと判定すると、ＳＦ券利用、または企画券利用を選択することなく、改札通路における利用者の通行を許可しないと判定する（ｓ３８）。具体的には、扉開閉部１５が利用者の出口側に位置する扉を閉し、出力部１６が改札通路の通行を許可しない旨を利用者に認識させる警告報知を行う。また、利用者の出口側に位置する表示器に、企画券利用が適正でない旨を利用者に通知するメッセージを表示する。
【００７３】
これにより、ネットワーク６で生じた通信障害等、様々な原因による処理不良によって、識別番号ＩＤｉが自動改札機１の識別番号記憶部１３に適正に記憶されなかった非接触ＩＣ券を所有している利用者に対して、誤って行ったＳＦ券利用としての改札処理により、運賃の誤収受が発生するのを防止できる。
【００７４】
また、乗車券情報（期間情報）が偽造された非接触ＩＣ券を所有する利用者に対して、改札通路の通行を誤って許可することもない。
【００７５】
自動改札機１は、ｓ３７で、識別番号記憶部１３に記憶している識別番号ＩＤｉの中に、ｓ３１で読み取った乗車券情報に含まれている非接触ＩＣ券の識別番号ＩＤｉがあると判定すると、企画券利用にかかる改札処理を行う（ｓ３９）。ｓ３９では、ｓ３１で読み取った乗車券情報に含まれている前回の入出場情報に基づきサイクルエラーであるかどうかを判定する。自動改札機１は、サイクルエラーであると判定すると、改札通路における利用者の通行を許可しない。具体的には、扉開閉部１５が利用者の出口側に位置する扉を閉し、出力部１６が改札通路の通行を許可しない旨を利用者に認識させる警告報知を行う。また、自動改札機１は、サイクルエラーでないと判定すると、改札通路における利用者の通行を許可する。具体的には、今回の改札処理にかかる入場情報、または出場情報を非接触ＩＣ券に書き込むとともに、扉開閉部１５が利用者の出口側に位置する扉を開する。
【００７６】
このように、自動改札機１が、非接触ＩＣ券から読み取る乗車券情報については、期間情報が増加するだけである。また、自動改札機１は、ＳＦ券利用にかかる改札処理、または企画券利用にかかる改札処理の選択を、非接触ＩＣ券から読み取った乗車券情報に含まれている期間情報を用いて、上述したｓ３２、ｓ３４、およびｓ３５にかかる判定処理を行う。したがって、自動改札機１が改札処理に要する時間の増加が抑えられ、その結果、改札効率の低下が抑えられる。
【００７７】
また、ｓ３７にかかる判定で、識別番号記憶部１３に記憶している識別番号ＩＤｉの中に、ｓ３１で読み取った乗車券情報に含まれている非接触ＩＣ券の識別番号ＩＤｉがないと判定すると、ＳＦ券利用、または企画券利用を選択することなく、改札通路における利用者の通行を許可しない構成としているので、システム障害にともなう運賃の誤収受を防止できるとともに、偽造券に対するセキュリティの低下も抑えられる。
【００７８】
また、センタサーバ５は、上述したように、確定されていない利用日がある企画券については、その発券情報を、ｓ１３で発券情報記憶部５２に記憶している。すなわち、発券情報を発券情報記憶部５２に記憶している企画券について、その企画券を購入した利用者が利用日を指定することができる。言い換えれば、利用者は、企画券の購入時に利用日を指定しなくても、この企画券の有効期間内であれば、利用日を指定することができる。この利用日の指定は、センタサーバ５との間で通信でき、且つ、非接触ＩＣ券に対して乗車券情報の読み取り、および書き込みが行える機器（例えば、券売機２）で行える。
【００７９】
ここでは、利用者が、すでに購入済の企画券について、利用日を指定する操作を券売機２で行う場合を例にして説明する。図１１は、購入済の企画券について、利用者が利用日の指定にかかる操作を行う券売機の処理を示すフローチャートである。図１２は、センタサーバの処理を示すフローチャートである。
【００８０】
購入済の企画券の利用日を指定する利用者は、所有する非接触ＩＣ券を券売機２に投入し、利用日の指定要求にかかる入力操作を行う。
【００８１】
券売機２は、利用者が投入した非接触ＩＣ券を受け付けるとともに、購入済の企画券の利用日の指定要求にかかる入力操作を受け付ける（ｓ４１）。券売機２は、受け付けた非接触ＩＣ券と無線通信を行い、この非接触ＩＣ券から読み取った識別番号ＩＤｉを含む、購入済企画券の通知要求を、駅サーバ３を介してセンタサーバ５に通知する（ｓ４２）。
【００８２】
センタサーバ５は、購入済企画券の通知要求を受信すると（ｓ５１）、発券情報記憶部５２に記憶している発券情報を検索し、該当する識別番号ＩＤｉの非接触ＩＣ券に対して発券した企画券（購入済企画券）を抽出する（ｓ５２）。センタサーバ５は、抽出した企画券の発券情報を、駅サーバ３を介して券売機２に通知する（ｓ５３）。
【００８３】
券売機２は、センタサーバ５から購入済企画券の発券情報が通知されると（ｓ４３）、通知された購入済企画券の種類を一覧で出力（表示）し（ｓ４４）、今回利用日を指定する企画券の種類の指定、および利用日の指定にかかる利用者の操作を受け付ける（ｓ４５）。券売機２は、ｓ４５で指定された企画券の種類、および利用日を、駅サーバ３を介してセンタサーバ５に通知する（ｓ４６）。ｓ４６では、非接触ＩＣ券の識別番号ＩＤｉ、企画券の種類、利用日を含む利用日指定情報をセンタサーバ５に通知する。
【００８４】
また、券売機２は、ｓ４１で受け付けた非接触ＩＣ券に対して、今回指定された利用日を期間情報として書き込む（ｓ４７）。券売機２は、今回指定された利用日を期間情報として書き込んだ非接触ＩＣ券を放出し（ｓ４８）、利用者に返却し、ｓ４１に戻る。
【００８５】
なお、券売機２は、利用者による実行処理の種別選択操作に応じて、図７に示した処理や、図１１に示した処理等を選択し、実行する。
【００８６】
センタサーバ５は、券売機２からの利用日指定情報を受信すると（ｓ５４）、通知された種類の企画券で入出場を許可する駅を全て抽出する（ｓ５５）。センタサーバ５は、ｓ５４で抽出した駅毎に、その駅に設置されている駅サーバ３に対して、この利用日指定情報を転送する（ｓ５６）。
【００８７】
また、駅サーバ３は、この利用日指定情報が通知されたとき、図９に示すｓ２２〜ｓ２４に示す処理を実行する。
【００８８】
センタサーバ５は、今回駅サーバ３に転送した利用日指定情報が示す利用日の日数を、発券情報記憶部５２に記憶している該当する企画券の発券情報の残日数（利用可能日数）から減算する（ｓ５７）。ｓ５７は、残日数（利用可能日数）を更新する処理である。ｓ５５〜ｓ５７は、上述したｓ１５〜ｓ１７と同様の処理である。さらに、センタサーバ５は、ｓ５６で更新した利用可能日数が０であれば、この企画券にかかる発券情報を発券情報記憶部５２から削除する（ｓ５８、ｓ５９）。
【００８９】
また、利用者が指定した利用日は、図１１に示す処理で非接触ＩＣ券に書き込まれている。したがって、自動改札機１は、上述した図１０に示す処理を実行することにより、企画券の購入後に利用日が指定されても、その指定された利用日において、適正な改札処理が行える。このように、企画券の購入時だけでなく、購入後においても、その企画券の有効期間内であれば、利用日を利用者に指定させることができ、利用者の利便性の向上が図れる。
【００９０】
また、センタサーバ５は、毎日、適当なタイミングで、発券情報記憶部５２に記憶している企画券の発券情報を検索し、有効期間が過ぎた企画券の発券情報があれば、これを発券情報記憶部５２から削除する処理を行う。これにより、発券情報記憶部５２に、有効期間が過ぎた企画券の発券情報が無駄に記憶されつづけるのを防止できる。
【符号の説明】
【００９１】
１…自動改札機
２…券売機
３…駅サーバ
５…センタサーバ
６…ネットワーク
１１…制御部
１２…乗車券処理部
１３…識別番号記憶部
１４…利用者検知部
１５…扉開閉部
１６…出力部
１７…通信部
５１…制御部
５２…発券情報記憶部
【図２】
0005811701.tif 000002
【図３】
0005811701.tif 000003
【図４】
0005811701.tif 000004
【図５】
0005811701.tif 000005
【図６】
0005811701.tif 000006
【図７】
0005811701.tif 000007
【図８】
0005811701.tif 000008
【図９】
0005811701.tif 000009
【図１０】
0005811701.tif 000010
【図１１】
0005811701.tif 000011
【図１２】
0005811701.tif 000012
【図１】
0005811701.tif 000013